(57)【要約】      （修正有）【課題】イヤホンを収納した後にも、イヤホンを保護できる安全で、コンパクト且つ衛生的なイヤホン保護装置を提供する。【解決手段】イヤホン保護装置１は、一対のイヤホンカバー部２と調節ケーブル２００を含み、イヤホンカバー部２には、外部の第１空間Ｓ１と内部の第２空間Ｓ２が形成され、第１空間Ｓ１は、イヤホン１００の収納を案内する通路を提供し、イヤホン１００が収納された後にもイヤホンカバー部２が組み立てられて閉鎖されるように結合構造を提供し、イヤホン１００を収納保管した状態でもケースを閉じてイヤホン１００を安全且つ衛生的に保管することができる。【選択図】図１
0003213464.tif 000002
【実用新案登録請求の範囲】
【請求項１】
イヤホン保護装置であって、前記イヤホン保護装置は、一対のイヤホンカバー部と調節ケーブルを含み、
前記イヤホンカバー部には、外部の第１空間と内部の第２空間が形成され、前記第１空間は、イヤホンの収納を案内する通路を提供し、イヤホンが収納された後にもイヤホンカバー部が組み立てられて閉鎖されるように結合構造を提供する、イヤホン保護装置。
【請求項２】
前記イヤホンカバー部の内周面には、イヤホンの面と接触するための段差が形成され、前記段差を基準に、外部の第１空間及び内部の第２空間が規定される、請求項１に記載のイヤホン保護装置。
【請求項３】
前記イヤホンカバー部の入口には、開放された第１側面が形成され、第１側面と対向して曲線型の閉鎖された第２側面が形成され、前記一対のイヤホンカバー部のうちの一つのイヤホンカバー部には、第１側面の先端内側に係止突起と収容溝が形成され、他のイヤホンカバー部には、第１側面の先端内側に前記係止突起と前記収容溝と結合するための他の収容溝及び係止突起が形成された、請求項２に記載のイヤホン保護装置。
【請求項４】
前記イヤホンカバー部の入口には、開放された第１側面が形成され、第１側面と対向して曲線型の閉鎖された第２側面が形成され、前記一対のイヤホンカバー部のうちの一つのイヤホンカバー部には、第１側面の先端内側にねじ山が形成され、他のイヤホンカバー部には、第１側面の先端内側に前記ねじ山と歯形結合するための他のねじ山が形成された、請求項２に記載のイヤホン保護装置。
【請求項５】
前記イヤホンカバー部の下面には、イヤホンを挿入及び収容するための開放型のオープンスロットが形成された、請求項２に記載のイヤホン保護装置。
【請求項６】
調節ケーブルは、イヤホンのケーブルに連結されたホルダーと、ホルダーへと延長された長い連結ラインを含み、ホルダーと連結ラインとの間には、長さ調節部材が位置し、連結ラインの先端には、係止部が形成された、請求項３に記載のイヤホン保護装置。
【請求項７】
前記イヤホンカバー部は、弾力性のある軟質または硬質のプラスチックまたはゴムで製作され、“⊂”字形断面のハウジングでフレームが構成される、請求項３に記載のイヤホン保護装置。
【考案の詳細な説明】
【技術分野】
【０００１】
本考案は、イヤホン保護装置に関し、より具体的に、本考案は、イヤホンを収納して保護できるポータブルのイヤホン保護装置に関する。
【背景技術】
【０００２】
歩いて移動したり、地下鉄やバスなどの公共交通機関を介して移動し、運動を楽しむ人々は、携帯電話やＭＰ３プレーヤーなどのポータブル音響器機を利用することにおいて、体積が小さく、携帯性が容易なイヤホンを主に使用する。
【０００３】
このように、イヤホンを主に利用している途中の保管時に、ポケットやバックなどに保管するため、イヤホンに異物が流入される場合が発生する。このような現象が持続する場合、流入する物質によって音質低下を起こしたり、汚染物質によって耳道が細菌に露出されるなどの問題を招くこともある。
【０００４】
出願人は、このような問題を解消するために、特許文献１でイヤホンのスピーカーが挿入されるように一側に開放された内側空間が形成される一対のイヤホンカバー部を提案した。
【０００５】
特許文献１は、その創作性及び有用性にもかかわらず、イヤホンを収納して使用していない場合、カバー部が開放された状態でイヤホンを続けて収納するので、イヤホン保管が不便で、イヤホンが２列に分岐する結果、イヤホン保護装置も空間を多く占有して、ユーザーの行動が不便で、特にイヤホンが小さな外力にもカバー部から抜けてしまう欠点があった。
【０００６】
本考案は、これらの欠点を一挙に解消し、同時に、コンパクトで、堅固且つ衛生的なイヤホン保護装置を提供するために案出されたものである。
【先行技術文献】
【特許文献】
【０００７】
【特許文献１】韓国登録特許第１６０７１９９号公報
【考案の概要】
【考案が解決しようとする課題】
【０００８】
従って、本考案は、イヤホンを収納した後にも、イヤホンを保護できる安全で、コンパクト且つ衛生的なイヤホン保護装置を提供することを目的とする。
【課題を解決するための手段】
【０００９】
前述した課題を達成するために、本考案のイヤホン保護装置は、一対のイヤホンカバー部と調節ケーブルを含み、前記イヤホンカバー部には、外部の第１空間と内部の第２空間が形成され、前記第１空間は、イヤホンの収納を案内する通路を提供し、イヤホンが収納された後にも、イヤホンカバー部が組み立てられて閉鎖されるように結合構造を提供するイヤホン保護装置を提供する。
【００１０】
前記イヤホンカバー部の内周面には、イヤホンの面と接触するための段差が形成され、前記段差を基準に、外部の第１空間及び内部の第２空間が規定され得る。
【００１１】
前記イヤホンカバー部の入口には、開放された第１側面が形成され、第１側面と対向して曲線型の閉鎖された第２側面が形成され、前記一対のイヤホンカバー部のうちの一つのイヤホンカバー部には、第１側面の先端内側に係止突起と収容溝が形成され、他のイヤホンカバー部には、第１側面の先端内側に前記係止突起と前記収容溝と結合するための他の収容溝及び係止突起が形成され得る。
【００１２】
前記イヤホンカバー部の入口には、開放された第１側面が形成され、第１側面と対向して曲線型の閉鎖された第２側面が形成され、前記一対のイヤホンカバー部のうちの一つのイヤホンカバー部には、第１側面の先端内側にねじ山が形成され、他のイヤホンカバー部には、第１側面の先端内側に前記ねじ山と歯形結合するための他のねじ山が形成され得る。
【００１３】
前記イヤホンカバー部の下面には、イヤホンを挿入及び収容するための開放型のオープンスロットが形成され得る。
【００１４】
調節ケーブルは、イヤホンのケーブルに連結されたホルダーと、ホルダーに延長された長い連結ラインを含み、ホルダーと連結ラインとの間には、長さ調節部材が位置し、連結ラインの先端には、係止部が形成され得る。
【００１５】
前記イヤホンカバー部は、弾力性のある軟質または硬質のプラスチックまたはゴムで製作され、“⊂”字形断面のハウジングでフレームが構成され得る。
【考案の効果】
【００１６】
本考案のイヤホン保護装置は、堅固で、安全性が優れ、ユーザーの便宜性を高めたイヤホン保護装置を提供するという効果を発揮する。
【図面の簡単な説明】
【００１７】
【図１】本考案のイヤホン保護装置にイヤホンが収納されたことを示した断面図。
【図２】本考案のイヤホン保護装置からイヤホンを抜き取って使用する場合の使用例を示した図。
【図３】本考案のイヤホン保護装置にイヤホンを収納することを示した図であって、イヤホンカバー部を閉じる前の状態である。
【図４】本考案のイヤホン保護装置にイヤホンを収納することを示した図であって、イヤホンカバー部を閉じた状態である。
【図５】本考案のイヤホン保護装置の他の使用例を示した図。
【図６】イヤホンカバー部の下面に開放型のオープンスロットが形成されたことを示した斜視図である。
【考案を実施するための形態】
【００１８】
以下、本考案の一部の実施例を例示的な図面を介して詳細に説明する。各図面の構成要素などに参照符号を付加することにおいて、同一の構成要素などに対しては、たとえ他の図面上に表示されても、できるだけ同一の符号を持つようにしていることに留意すべきである。また、本実施例を説明することにおいて、関連した公知構成または機能に対する具体的な説明が本実施例の要旨を曖昧にすることができると判断される場合には、その詳細な説明は省略する。
【００１９】
本実施例の構成要素を説明することにおいて、第１、第２、）、ＩＩ）、ａ）、ｂ）などの符号を使用することができる。これらの符号は、その構成要素を他の構成要素と区別するためのものにすぎず、その符号によって該当構成要素の本質または順番や手順などが限定されない。また明細書において、ある部分がある構成要素を‘含む’または‘備える’とするとき、これは、明示的に反対される記載がない限り、他の構成要素を除外するのではなく、他の構成要素をさらに含むことができることを意味する。
【００２０】
図１は、本考案のイヤホン保護装置１にイヤホン１００が収納されたことを示した断面図である。
【００２１】
イヤホン保護装置１は、一対のイヤホンカバー部２と調節ケーブル２００を含む。
【００２２】
一対のイヤホンカバー部２は、全体的に、“⊂”字形断面であり、開放入口の相互締結構造を除いては、互いに対称である。
【００２３】
イヤホンカバー部２は、弾力性のある軟質または硬質のプラスチックまたはゴムで製作され、“⊂”字形断面のハウジングでケースを形成し、内周面に形成された段差３０を基準に、外部の第１空間Ｓ１と内部の第２空間Ｓ２が規定される。
【００２４】
第１空間Ｓ１は、イヤホン１００の収納を案内する通路を提供し、イヤホン１００が収納された後にも、イヤホンカバー部２が閉鎖され得る結合構造を提供する点に特徴がある。
【００２５】
ハウジングの入口には、開放された第１側面４が形成され、第１側面４と対向して曲線型の閉鎖された第２側面６が形成される。
【００２６】
一対のイヤホンカバー部のうちの一つのイヤホンカバー部、示された例においては、左側のイヤホンカバー部２の第１側面４の先端内側には、係止突起８と収容溝１０が順に形成されており、他のイヤホンカバー部、すなわち、右側のイヤホンカバー部２の第１側面４の先端内側には、係止突起１０ａと収容溝８ａが順に形成されている。図面符号“１２、１２ａ”は、対応する相手のイヤホンカバー部２の入口先端面と当接するための支持面である。イヤホンカバー部２を両側から押して互いに結合すると、係止突起８は、対応する収容溝８ａに締結され、収容溝１０は、対応する係止突起１０ａを収容して、両方のイヤホンカバー部２が堅固に組み立てられ得る。
【００２７】
図６によく示したように、イヤホンカバー部２の下面３２の第１空間Ｓ１には、開放型のオープンスロット２２が形成されている。オープンスロット２２を介してイヤホン１００のネック部１０２が挿入される。オープンスロット２２は、イヤホン１００の収納を案内する通路の役割を果たす。
【００２８】
第２側面６の一部には、調節ケーブル２００が挿入されるための開放ホール３４が形成され、開放ホール３４の周囲には、他の部材よりも厚い補強部３６が形成されている。
【００２９】
次に、イヤホン１００は、特に限定されないが、本体１０４と、本体前側のイヤーキャップ１０６と、本体後側のネック部１０２を含み、ネック部１０２には、スマートフォンのような電子機器に連結されたケーブル１０８が接続される。本体１０４とネック部１０２との間には、傾斜面１０４ａが形成されている。傾斜面１０４ａは、イヤホン１００をイヤホンカバー部２に挿入するとき、段差３０と当接して安定した収納構造を提供する。傾斜面１０４ａがないイヤホン１００の場合には、段差３０の設置が必須なものではない。
【００３０】
次に、調節ケーブル２００は、イヤホンカバー部２とケーブル１０８との間に連結されて、イヤホンカバー部２が分離または紛失されず、常にイヤホン１００に付随するようにするための構成である。
【００３１】
調節ケーブル２００は、ケーブル１０８に連結されたホルダー２０２と、ホルダー２０２へと延長された長い連結ライン２０６を含み、ホルダー２０２と連結ライン２０６との間には、長さ調節部材２０４が位置し、連結ライン２０６の先端には、丸くなっている係止部２０８が形成されている。調節ケーブル２００の係止部２０８は、イヤホンカバー部２の第２側面６の開放ホール３４よりも大きく形成されるので、開放ホール３４を脱して外部に引き出されない。
【００３２】
本考案のイヤホン保護装置１にイヤホン１００を挿入する場合には、段差３０の弾力性を利用して、傾斜面１０４ａが段差３０を越えて係止する位置までイヤホンカバー部２の下面３２のオープンスロット２２を介してネック部１０２を挿入してイヤホン１００を安着させる。逆に、イヤホン１００を引き出す場合は、ネック部１０２を握って傾斜面１０４ａを段差３０から分離しながら、オープンスロット２２を介してイヤホン１００を後に移動させる。
【００３３】
図２は、以上説明した本考案のイヤホン保護装置１からイヤホン１００を抜き取って使用する場合の使用例を示す。
【００３４】
一対のイヤホンカバー部２を閉鎖せずにイヤホン１００を使用することもできるが、示したように、また前述したように、イヤホンカバー部２を両側から押して係止突起８を対応する収容溝８ａに締結し、収容溝１０は、対応する係止突起１０ａを収容して、両方のイヤホンカバー部２を組み立てることができる。
【００３５】
調節ケーブル２００のホルダー２０２をケーブル１０８に沿って移動させながら、適切な位置で長さ調節部材２０４を引くと、ホルダー２０２がケーブル１０８に決着される。従って、イヤホンカバー部２は、ケーブル１０８から分離されず、紛失の危険がない。また、イヤホン１００を外に引き出した状態では、イヤホン保護装置１を実質的には、イヤホン１００と分離してケーブル１０８に沿って、任意の適切な位置にも固定することができるので、ユーザーに邪魔になる心配がない。
【００３６】
図３及び図４は、本考案のイヤホン保護装置１にイヤホン１００を収納することを示した図であって、図３は、イヤホンカバー部２を閉じる前の状態であり、図４は、イヤホンカバー部２を閉じた状態を示す。
【００３７】
図４は、特許文献１とは異なる、本考案のメリットをよく示している。イヤホン１００が収納された場合、第１空間Ｓ１が提供するスロット２２によってイヤホン１００のネック部１０２が十分に収容されるので、イヤホン１００には何らの邪魔を与えずにイヤホンカバー部２を組み立てることができる。従って、イヤホン１００の保管がさらに便利になり、イヤホン保護装置が占める空間を縮小して、ユーザーの行動を楽にすることができ、イヤホンが小さな外力にもイヤホンカバー部２から抜けてしまう欠点を完全に解消することができる。
【００３８】
図５は、図２〜図４を総合した本考案のイヤホン保護装置１の使用例を示した図である。
【００３９】
イヤホン１００を使用する場合には、イヤホンカバー部２を開放された“Ａ”位置に置くか、または調節ケーブル２００を下に引いた“Ｂ”位置でイヤホンカバー部２を組み立てることによって、イヤホンカバー部２がユーザーの耳に隣接してくれる不便さを解消することができる。
【００４０】
イヤホン１００を収納して保管する場合も同様に、任意の位置、例えば、“Ａ”や“Ｂ”の位置でイヤホン１００を収納してイヤホンカバー部２を組み立てた後、できる限り連結点１０８ｂまでホルダー２０２を移動させることができ、併合（ｍｅｒｇｅ）ケーブル１０８ａを電子機器から分離し、すべてのケーブル１０８、１０８ａ、２００などを自由に巻いて体積を減らすことによって、ポケットやバックなどに入れて携帯することができる。従って、イヤホン保護装置１が実質的にイヤホン１００と一体になるので、保管、運搬及び使用が非常に便利である。
【００４１】
以上は、本考案の特定の実施例を例示的に説明したものであり、本考案に対しては、様々な変更が可能である。例えば、イヤホンカバー部を組み立てるための収容溝及び突起構造は、ねじ山の歯形結合によるねじ式回し結合に代替することができる。また、調節ケーブルの連結ラインは、第２側面だけでなく、カバー部のどこにも連結され得る。その他に、本考案において説明したすべての構成の大きさ、位置及び形状は、本考案の権利範囲を制限しない。
【００４２】
本考案の権利範囲は、以下に記述する請求の範囲によって規定され、本考案の保護範囲は、請求の範囲と同一または均等な領域にまで及ぼすことが自明である。
【符号の説明】
【００４３】
１              イヤホン保護装置
２              イヤホンカバー部
４              第１側面
６              第２側面
８、１０ａ      係止突起
８ａ、１０      収容溝
１２、１２ａ    支持面
２２            オープンスロット
１００          イヤホン
２００          調節ケーブル
２０２          ホルダー
２０４          長さ調節部材
２０６          連結ライン
【図１】
0003213464.tif 000003
【図２】
0003213464.tif 000004
【図３】
0003213464.tif 000005
【図４】
0003213464.tif 000006
【図５】
0003213464.tif 000007
【図６】
0003213464.tif 000008